(57)【要約】【課題】  デジタルカメラ内部の処理プログラの更新を店頭端末装置を利用して容易に行うことができるようにすることを目的とする。【解決手段】  デジタルカメラ用店頭端末装置がデジタルカメラにアクセスして、機種情報及び処理プログラム情報を取得し（２０２〜２０６）、取得した情報に基づいて処理プログラムの更新の要否を判定して（２０８）、更新が必要な場合に、ホストコンピュータから更新するための処理プログラムを取得してデジタルカメラに送信する（２１２、２１４）。この送信される処理プログラムに基づいて、デジタルカメラが組み込まれた処理プログラムを更新する。【選択図】        図６
2006135608.tif 000002
【特許請求の範囲】
【請求項１】
撮影装置による撮影によって得られた画像データを取得して写真プリントを作成するプリントサービス機能を有する撮影装置用店頭端末装置であって、
撮影装置に組み込まれている処理プログラムを特定するための特定情報を撮影装置から受信する受信手段と、
前記通信手段が受信した前記特定情報に基づいて、前記処理プログラムの更新の要否を判定する判定手段と、
前記判定手段の判定結果に応じて、撮影装置に更新するための前記処理プログラムを送信する送信手段と、
を備えることを特徴とする撮影装置用店頭端末装置。
【請求項２】
前記特定情報が機種情報及び処理プログラム情報を少なくとも含む機器情報からなり、前記処理プログラムを管理するホストコンピュータと通信するための通信手段を更に備え、前記判定手段が、前記通信手段を介して前記ホストコンピュータから取得した前記機種情報に対応する処理プログラム情報を用いて判定を行い、前記送信手段が、前記通信手段を介して前記ホストコンピュータから取得した更新するための前記処理プログラムを撮影装置に送信することを特徴とする請求項１に記載の撮影装置用店頭端末装置。
【請求項３】
請求項１又は請求項２に記載の撮影装置用店頭端末装置と、
前記特定情報をを送信すると共に前記撮影装置用店頭端末装置の前記送信手段から送信される前記処理プログラムを受信する情報通信手段と、前記情報通信手段が受信した前記処理プログラムに基づいて撮影装置に組み込まれた前記処理プログラムを更新する更新手段と、を備えた撮影装置と、
を含む撮影装置用店頭端末システム。
【請求項４】
前記撮影装置が、前記更新手段による前記処理プログラムの更新を禁止する設定手段を更に備え、前記撮影装置用店頭端末装置の前記判定手段が、前記撮影装置の前記設定手段の設定に応じて、前記処理プログラムの更新の要否を判定することを特徴とする請求項３に記載の撮影装置用店頭端末システム。
【請求項５】
被写体像を撮影することによって得られる画像データを取得する撮影装置と、前記画像データを取得して写真プリントを作成するプリントサービス機能を有する撮影装置用店頭端末装置と、からなる撮影装置用店頭端末システムにおいて、前記撮影装置内部に組み込まれた処理プログラムの更新を行う撮影装置用処理プログラム更新方法であって、
前記撮影装置用店頭端末装置が、撮影装置に組み込まれている処理プログラムを特定するための特定情報を撮影装置から受信して、
受信した前記特定情報に基づいて、前記処理プログラムの更新の要否を判定し、判定結果に応じて、更新するための前記処理プログラムを前記撮影装置に送信し、
前記撮影装置が、前記特定情報を前記撮影装置用店頭端末装置に送信すると共に、前記撮影装置用店頭端末装置から送信される更新するための前記処理プログラムを受信して、受信した前記処理プログラムに基づいて撮影装置に組み込まれた前記処理プログラムを更新することを特徴とする撮影装置用処理プログラム更新方法。
【請求項６】
前記撮影装置が、前記処理プログラムの更新を禁止する禁止設定を有し、前記撮影装置用店頭端末装置が、前記撮影装置の前記禁止設定に応じて、前記処理プログラムの更新の要否を判定することを特徴とする請求項５に記載の撮影装置用処理プログラム更新方法。
【請求項７】
前記特定情報が機種情報及び処理プログラム情報を少なくとも含む機器情報からなり、前記処理プログラムを管理するホストコンピュータから取得した前記機種情報に対応する処理プログラム情報にを用いて、前記処理プログラムの更新の要否の判定を行い、前記撮影装置用店頭端末装置が前記撮影装置に送信する前記処理プログラムを、前記ホストコンピュータから取得して送信することを特徴とする請求項５又は請求項６に記載の撮影装置用処理プログラム更新方法。
【発明の詳細な説明】
【技術分野】
【０００１】
本発明は、撮影装置用店頭端末装置、撮影装置用店頭端末システム、及び撮影装置用処理プログラム更新方法にかかり、特に、撮影装置による撮影によって得られた画像を印刷して写真プリントを作成する撮影装置用店頭端末装置、該撮影装置用端末装置と撮影装置を含む撮影装置用店頭端末システム、及び該撮影装置用店頭端末システムを利用して撮影装置用プログラムの更新を行う際の撮影装置用処理プログラム更新方法に関する。
【背景技術】
【０００２】
近年、ＣＣＤやＣＭＯＳイメージセンタ等の撮像素子の高解像度化に伴い、デジタルカメラの需要が急増している。
【０００３】
この種のデジタルカメラでは、撮影を行うとき、撮像素子によりデジタルデータとして得られた画像が当該デジタルカメラに対して着脱可能に構成された記憶媒体に記憶される。
【０００４】
そして、記憶媒体を、本発明の出願人が提唱するＦＤｉ等に代表されるデジタルカメラ・プリント・サービスの取扱店に持ち込むことにより、当該取扱店の店頭に設置されている店頭端末装置を介して、記憶媒体に記憶されている画像情報によって表される被写体像を写真プリントとして出力することもできる。
【０００５】
ところで、デジタルカメラ内部には、デジタルカメラの機能を動作させるための処理プログラムが組み込まれている。この処理プログラムを一般的なプログラム同様に、修正や機能追加などが行われ、更新する必要がある。デジタルカメラ内部の処理プログラムの更新は、これまでは、特許文献１に記載の技術で提案されているように、更新プログラムが予め記録されているＣＤ−ＲＯＭ等の記録媒体から必要なデータを読み出したり、パーソナルコンピュータ等を利用してインターネット等に接続し、更新プログラムをダウンロードしたりして、カメラ内部の処理プログラムを更新することが一般的に行われている。
【０００６】
一方、特許文献２に記載の技術では、電子カメラのプログラムの修正や追加に関する技術が提案され、特許文献３に記載の技術では、制御プログラムの更新処理に関する技術が提案されている。
【０００７】
特許文献２に記載の技術では、撮像装置が、使用者を特定するための識別情報を通知し、画像情報管理装置が、その識別情報に基づいて利用者が以前使用していた機能情報を検索して撮像装置に送信することで、撮像装置が機能情報を追加設定することが提案されている。
【０００８】
また、特許文献３に記載の技術では、プログラム記憶部に記憶される所定の機器制御プログラムを変更する際に、通信部を介して更新可能な機器制御プログラムのヘッダ情報を外部機器から取得して、該取得されるヘッダ情報中の機能情報と、構成情報記憶部に記憶される構成情報とを比較して更新の可否を判定してから、プログラム記憶部に記憶される所定の機器制御プログラムの更新処理を制御することで、誤って不適切な制御プログラムが書き込まれてしまう事態を回避している。
【特許文献１】特開２００２−２２３４０５号公報
【特許文献２】特開２００３−６７４７９号公報
【特許文献３】特開２００３−７６５６５号公報
【発明の開示】
【発明が解決しようとする課題】
【０００９】
しかしながら、特許文献１に記載の技術のように、デジタルカメラ内部の処理プログラムの更新を行う場合には、更新が必要か否かをユーザが判断する必要があり、更新する作業が煩雑となる、という問題がある。
【００１０】
また、特許文献１〜３の何れの技術においても、店頭端末装置を利用してデジタルカメラ内部の処理プログラムの更新を行うことは提案されていない。そして、店頭端末装置を利用してデジタルカメラの処理プログラムの更新を行うことができれば、ネットワーク環境の整っていないユーザでも、店頭端末装置を利用することで、デジタルカメラ内部の処理プログラムの更新を容易に行うことができ、非常に有用な技術となる。
【００１１】
本発明は、上記事実を考慮して成されたもので、撮影装置内部の処理プログラの更新を店頭端末装置を利用して容易に行うことができるようにすることを目的とする。
【課題を解決するための手段】
【００１２】
上記目的を達成するために請求項１に記載の撮影装置用店頭端末装置は、撮影装置による撮影によって得られた画像データを取得して写真プリントを作成するプリントサービス機能を有する撮影装置用店頭端末装置であって、撮影装置に組み込まれている処理プログラムを特定するための特定情報を撮影装置から受信する受信手段と、前記通信手段が受信した前記特定情報に基づいて、前記処理プログラムの更新の要否を判定する判定手段と、前記判定手段の判定結果に応じて、撮影装置に更新するための前記処理プログラムを送信する送信手段と、を備えることを特徴としている。
【００１３】
請求項１に記載の発明によれば、撮影装置用店頭端末装置は、撮影装置による撮影によって得られた画像データを取得して写真プリントを作成するものであり、該撮影装置用店頭端末装置を利用して撮影装置に組み込まれた処理プログラムの更新を行う。
【００１４】
受信手段では、撮影装置に組み込まれている処理プログラムを特定するための特定情報の受信が行われ、判定手段では、受信手段によって受信した特定情報に基づいて、撮影装置に組み込まれた処理プログラムの更新の要否が判定される。
【００１５】
そして、送信手段では、判定手段の判定結果に応じて、更新するための処理プログラムが撮影装置に送信される。
【００１６】
すなわち、撮影装置から撮影装置用店頭端末装置に組み込まれた処理プログラムを特定するための特定情報を送信することで、更新するための処理プログラムを撮影装置が受信することできるので、撮影装置に組み込まれた処理プログラムの更新を容易に行うことができる。
【００１７】
例えば、請求項２に記載の発明のように、特定情報が機種情報及び処理プログラム情報（例えば、処理プログラムのバージョン等）を少なくとも含む機器情報からなり、判定手段が、通信手段を介してホストコンピュータから取得した機種情報に対応する処理プログラム情報を用いて処理プログラムの更新の要否を判定し、判定手段の判定結果が更新が必要と判定された場合に、送信手段が、通信手段を介してホストコンピュータから取得した更新するための処理プログラムを撮影装置に送信することで、撮影装置に組み込まれた処理プログラムの更新を容易に行うことができる。
【００１８】
請求項３に記載の撮影装置用店頭端末システムは、請求項１又は請求項２に記載の撮影装置用店頭端末装置と、前記特定情報をを送信すると共に前記撮影装置用店頭端末装置の前記送信手段から送信される前記処理プログラムを受信する情報通信手段と、前記情報通信手段が受信した前記処理プログラムに基づいて撮影装置に組み込まれた前記処理プログラムを更新する更新手段と、を備えた撮影装置と、を備えた撮影装置と、を含むことを特徴としている。
【００１９】
請求項３に記載の発明によれば、請求項１又は請求項２に記載の撮影装置用店頭端末装置と、撮影装置とで構成されている。
【００２０】
すなわち、撮影装置の情報通信手段で、撮影装置用店頭端末装置に特定情報を送信することで、撮影装置用店頭端末装置の受信手段で特定情報が受信される。また、撮影装置用店頭端末の送信手段から送信される処理プログラムは、撮影装置の情報通信手段によって受信できる。
【００２１】
そして、撮影装置の更新手段では、情報通信手段によって受信した処理プログラムに基づいて撮影装置に組み込まれた処理プログラムが更新される。このように、撮影装置と撮影装置用店頭端末装置を構成することで、請求項１又は請求項２に記載の発明のように、撮影装置に組み込まれた処理プログラムの更新を容易に行うことができる。
【００２２】
なお、請求項４に記載の発明のように、撮影装置が、更新手段による処理プログラムの更新を禁止する設定手段を更に備えて、撮影装置用店頭端末装置の判定手段が、撮影装置の設定手段の設定に応じて、処理プログラムの更新の要否を判定するようにしてもよい。このようにすることで、撮影装置ユーザの意図しない処理プログラムの更新を防止することができる。
【００２３】
請求項５に記載の撮影装置用処理プログラム更新方法は、被写体像を撮影することによって得られる画像データを取得する撮影装置と、前記画像データを取得して写真プリントを作成するプリントサービス機能を有する撮影装置用店頭端末装置と、からなる撮影装置用店頭端末システムにおいて、前記撮影装置内部に組み込まれた処理プログラムの更新を行う撮影装置用処理プログラム更新方法であって、前記撮影装置用店頭端末装置が、撮影装置に組み込まれている処理プログラムを特定するための特定情報を撮影装置から受信して、受信した前記特定情報に基づいて、前記処理プログラムの更新の要否を判定し、判定結果に応じて、更新するための前記処理プログラムを前記撮影装置に送信し、前記撮影装置が、前記特定情報を前記撮影装置用店頭端末装置に送信すると共に、前記撮影装置用店頭端末装置から送信される更新するための前記処理プログラムを受信して、受信した前記処理プログラムに基づいて撮影装置に組み込まれた前記処理プログラムを更新することを特徴としている。
【００２４】
請求項５に記載の発明によれば、撮影装置用店頭端末装置が、撮影装置に組み込まれている処理プログラムを特定するための特定情報を撮影装置から受信して、受信した特定情報に基づいて、処理プログラムの更新の要否を判定し、判定結果に応じて、更新するための処理プログラムを撮影装置に送信する。一方、撮影装置が、特定情報を撮影装置用店頭端末装置に送信すると共に、撮影装置用店頭端末装置から送信される更新するための処理プログラムを受信して、受信した処理プログラムに基づいて撮影装置に組み込まれた処理プログラムを更新する。すなわち、撮影装置用店頭端末装置に、撮影装置に組み込まれた処理プログラムを特定するための特定情報を撮影装置から送信することで、更新するための処理プログラムを撮影装置用店頭端末装置から撮影装置が受信することできるので、撮影装置に組み込まれた処理プログラムの更新を容易に行うことができる。
【００２５】
例えば、請求項７に記載の発明のように、特定情報が機種情報及び処理プログラム情報（例えば、処理プログラムのバージョン等）を少なくとも含む機器情報からなり、処理プログラムを管理するホストコンピュータから取得した機種情報に対応する処理プログラム情報を用いて、処理プログラムの更新の要否の判定を行い、撮影装置用店頭端末装置が撮影装置に送信する処理プログラムを、前記ホストコンピュータから取得して送信することで、撮影装置に組み込まれた処理プログラムの更新を容易に行うことができる。
【００２６】
なお、請求項６に記載の発明のように、撮影装置が、処理プログラムの更新を禁止する禁止設定を有し、撮影装置用店頭端末装置が、撮影装置の禁止設定に応じて、処理プログラムの更新の要否を判定するするようにしてもよい。このようにすることで、撮影装置ユーザの意図しない処理プログラムの更新を防止することができる。
【発明の効果】
【００２７】
以上説明したように本発明によれば、撮影装置内部の処理プログラの更新を店頭端末装置を利用して容易に行うことができる、という効果がある。
【発明を実施するための最良の形態】
【００２８】
以下、図面を参照して本発明の実施の形態の一例を詳細に説明する。
【００２９】
まず、図１を参照して、本実施の形態に係るプリントサービスシステム１０の構成について説明する。
【００３０】
同図に示すように、プリントサービスシステム１０は、デジタルカメラ２０及び店頭端末装置５０を含んで構成されている。ここで、デジタルカメラ２０はプリントサービスシステム１０に対応したものであり、不特定多数のユーザにより所有されているものである。これに対し、店頭端末装置５０はコンビニエンス・ストアやＤＰＥ（Develop Print Enlargement）店等の多店舗展開を特徴とする店舗の店頭に設置されているものである。
【００３１】
また、デジタルカメラ２０は自身の機種を示す機種情報、及びデジタルカメラ２０の各種機能を実行するために組み込まれている処理プログラム情報を無線で送信できると共に、店頭端末装置５０から送信される処理プログラムを更新できるものとして構成されており、店頭端末装置５０は、デジタルカメラ２０から送信された機種情報及び処理プログラム情報を受信できと共に、更新するための処理プログラムを送信できるものとして構成されている。
【００３２】
なお、店頭端末装置５０は、デジタルカメラ２０による撮影によって得られた画像を印刷して写真プリントを作成する機能を有するものであるが、当該画像を示す画像データは、デジタルカメラ２０に対して着脱可能に構成されたメモリカード３４（本実施の形態では、ｘＤピクチャーカード）を介して店頭端末装置５０に入力される。従って、店頭端末装置５０には、メモリカード３４を挿脱可能に構成されたメモリカード・スロット７２と、作成した写真プリントを外部に排出するための写真プリント・トレイ７４とが備えられている。
【００３３】
また、店頭端末装置５０には、各種メニュー画面や各種情報を表示するための液晶ディスプレイによって構成された表示部５６が設けられている。なお、本実施の形態に係る表示部５６の表示面上には透過型のタッチパネル５８が装着されており、ユーザは、表示部５６に表示されている各種メニュー項目から所望のものを指定する際には、当該表示部５６上にて指先で接触指定することができる。また、店頭端末装置５０には、各種情報を入力するためのテンキーを含んで構成された操作部６０と、店頭端末装置５０への人の接近を検出するための人検出センサを含んで構成された人検出部６６と、が設けられている。
【００３４】
次に、図２を参照して、本実施の形態に係るデジタルカメラ２０の電気系の主要構成について説明する。
【００３５】
同図に示すように、本実施の形態に係るデジタルカメラ２０は、被写体像を結像させるためのレンズ２１（図１参照。）を含んで構成された光学ユニット２２と、レンズ２１の光軸後方に配設されたＣＣＤ等からなる撮像素子２４と、入力されたアナログ信号に対して各種のアナログ信号処理を行うと共に、アナログ信号をデジタルデータに変換するＡ／Ｄ撮像処理部２６と、データ制御部３０と、を備えている。
【００３６】
撮像素子２４の出力端はＡ／Ｄ撮像処理部２６の入力端に、Ａ／Ｄ撮像処理部２６の出力端はデータ制御部３０の入力端に、各々接続されている。従って、撮像素子２４から出力された被写体像を示すアナログ信号はＡ／Ｄ撮像処理部２６によって所定のアナログ信号処理が施されると共に、デジタル画像データに変換された後にデータ制御部３０に入力される。
【００３７】
ここで、データ制御部３０は、Ａ／Ｄ撮像処理部２６から入力されたデジタル画像データや後述するメモリ３２、メモリカード３４等に記憶されたデジタル画像データを、動作状態に応じて予め定められた部位に選択的に出力するための制御を行う。
【００３８】
また、デジタルカメラ２０には、Ａ／Ｄ撮像処理部２６によって得られたデジタル画像データ等を一時的に記憶するメモリ３２と、可搬型のメモリカード３４をデジタルカメラ２０でアクセス可能とするための外部メモリインタフェース３６と、デジタル画像データに対するホワイトバランス調整、ガンマ処理、シャープネス処理、圧縮処理、伸張処理等の各種デジタル信号処理を行う画像信号処理部３８と、が備えられている。
【００３９】
更に、デジタルカメラ２０には、デジタルカメラ２０全体の動作を司るＣＰＵ（中央処理装置）４０が備えられており、前述した光学ユニット２２、Ａ／Ｄ撮像処理部２６、データ制御部３０、画像信号処理部３８等の各部の動作はＣＰＵ４０によって制御される。
【００４０】
また、デジタルカメラ２０には、当該デジタルカメラ２０の機種を示す機種情報及びデジタルカメラ２０に組み込まれている処理プログラム情報（例えば、プログラムのバージョン等の情報）が予め記憶された通信装置２８が備えられている。通信装置２８としては、例えば、ＩＣタグを適用することができる。なお、以下では、通信装置４２としてＩＣタグを適用した例を説明する。
【００４１】
デジタルカメラ２０は、不図示のレリーズボタンがユーザによって押圧操作されたタイミングで、Ａ／Ｄ撮像処理部２６から出力されたデジタル画像データが画像信号処理部３８にて各種デジタル信号処理が施された状態でメモリカード３４に記憶されるものとして構成されている。
【００４２】
次に、図３を参照して、本実施の形態に係る通信装置４２としてＩＣタグを適用した場合の電気系の主要構成について説明する。
【００４３】
同図に示すように、本実施の形態に係るＩＣタグ４２は、ＩＣタグ４２全体を制御するＣＰＵ（中央処理装置）４２Ａと、各種情報の書き込み及び読み出しが可能に構成された不揮発性のメモリ４２Ｂと、アンテナ４２Ｅを介して外部装置との間の各種情報の送受信を行う送受信部４２Ｃと、外部装置から電磁誘導によって供給された電力を蓄電するコンデンサ４２Ｄと、を備えている。
【００４４】
ここで、ＣＰＵ４２Ａは、送受信部４２Ｃ及びメモリ４２Ｂに接続されている。従って、ＣＰＵ４２Ａは、外部装置から送信された情報をアンテナ４２Ｅ及び送受信部４２Ｃを介し取得してメモリ４２Ｂに記憶させたり、メモリ４２Ｂに記憶されている情報に対して各種処理を施したり、メモリ４２Ｂに記憶されている情報を送受信部４２Ｃ及びアンテナ４２Ｅを介して外部装置に送信すること等ができる。なお、メモリ４２Ｂには、上述の機種情報及び処理プログラム情報等が記憶される。
【００４５】
一方、送受信部４２Ｃ及びＣＰＵ４２Ａにはコンデンサ４２Ｄが接続されており、送受信部４２Ｃ及びＣＰＵ４２Ａへの駆動用の給電はコンデンサ４２Ｄによって行われる。なお、メモリ４２Ｂへの給電は、コンデンサ４２ＤよりＣＰＵ４２Ａを介して行われる。
【００４６】
次に、図４を参照して、本実施の形態に係る店頭端末装置５０の電気系の主要構成について説明する。
【００４７】
同図に示すように、本実施の形態に係る店頭端末装置５０は、当該店頭端末装置５０全体の動作を司る制御部５２が備えられており、前述した表示部５６、タッチパネル５８、操作部６０、及び人検出部６６は制御部５２に電気的に接続されている。
【００４８】
従って、制御部５２は、表示部５６への各種メニュー画面や情報の表示、タッチパネル５８に対するユーザによる指定情報の把握、操作部６０に対するユーザによる操作状態の把握、及び人検出部６６による人の検出状態の把握を、各々行うことができる。
【００４９】
また、店頭端末装置５０には、写真プリントを作成するプリント部５４と、各種情報を記憶するためのメモリ６２と、デジタルカメラ２０に設けられたＩＣタグ４２との間で各種情報の授受を行う通信部６４と、メモリカード・スロット７２に接続されると共に当該メモリカード・スロット７２に装着されたメモリカード３４を店頭端末装置５０でアクセス可能とするための外部メモリインタフェース６８と、プリントサービスシステム１０を統括する統括センタに設置されているホストコンピュータ８０とネットワーク接続するためのネットワークインタフェース７０と、デジタルカメラ２０に組み込まれた処理プログラムの更新（アップデート）を制御するためのデジタルカメラアップデート制御部７６と、が備えられており、これら各部は制御部５２に電気的に接続されている。
【００５０】
従って、制御部５２は、プリント部５４による写真プリントの作成の制御、メモリ６２、ＩＣタグ４２、メモリカード３４へのアクセス、及びホストコンピュータ８０との間の各種情報の授受を行うことができる。
【００５１】
また、ホストコンピュータ８０は、デジタルカメラの機種毎に対応する処理プログラム情報（例えば、処理プログラムのバージョンなどの更新情報）についても管理する。詳細には、機種情報と対応する処理プログラム情報とを管理し、機種毎の最新の処理プログラム情報や最新の処理プログラム等を店頭端末装置５０からの要求等に応じて店頭端末装置５０へ送信する。
【００５２】
続いて、上述のように構成されたプリントサービスシステム１０の作用として、デジタルカメラ２０に組み込まれた処理プログラムの更新について説明する。
【００５３】
まず、デジタルカメラ２０側で行われる処理について説明する。図５は、デジタルカメラ２０で行われる処理の流れの一例を示すフローチャートである。
【００５４】
まず、ステップ１００では、店頭端末にアクセスか否かＣＰＵ４０によって判定される。該判定は、ＩＣタグ４２を介して店頭端末装置５０の通信部６４と接続したか否かを判定することによってなされ、該判定が否定された場合には、肯定されるまで待機してステップ１０２へ移行する。
【００５５】
ステップ１０２では、ＩＣタグ４２に記憶された機種情報及び処理プログラム情報が店頭端末装置５０に送信されてステップ１０４へ移行する。
【００５６】
ステップ１０４では、更新処理プログラムが有るか否かＣＰＵ４０によって判定される。該判定は、店頭端末装置５０の通信部６４から処理プログラムが送信されてきたか否かを判定することによってなされ、該判定が否定された場合には、当該処理を終了して、その他の処理等を実行する。
【００５７】
また、ステップ１０４の判定が肯定された場合には、ステップ１０６へ移行して、店頭端末装置５０から送信されてくる更新処理プログラムがＩＣタグ４２を介してＣＰＵ４０に受信される。
【００５８】
そして、ステップ１０８では、受信した処理プログラムに基づいて、デジタルカメラ２０に組み込まれた処理プログラムが更新されて当該処理を終了して、その他の処理等を実行する。
【００５９】
次に、店頭端末装置５０側で行われる処理の流れについて説明する。図６は、店頭端末装置５０で行われる処理の流れの一例を示すフローチャートである。
【００６０】
店頭端末装置５０では、はじめにステップ２００で、人の接近を人検出部６６が検出したか否か制御部５２によって判定され、該判定が否定された場合には肯定されるまで待機してステップ２０２へ移行する。
【００６１】
ステップ２０２では、接近した人が所持しているデジタルカメラに対してＩＣタグ４２へのアクセスが行われて、ステップ２０４へ移行する。
【００６２】
ステップ２０４では、ＩＣタグ４２が検出されたか否か判定される。該判定は、デジタルカメラ２０のＩＣタグ４２と店頭端末装置５０との間で通信接続がなされたか否かを制御部５２が検出することによってなされ、該判定が否定された場合には、後述するステップ２１４へ移行し、肯定された場合には、ステップ２０６へ移行する。
【００６３】
ステップ２０６では、デジタルカメラ２０のＩＣタグ４２から送信されてくる機種情報及び処理プログラム情報が通信部６４を介してデジタルカメラアップデート制御部７６に取得され、ステップ２０８へ移行する。
【００６４】
ステップ２０８では、受信した機種情報及び処理プログラム情報に基づいて処理プログラムの更新が必要か否かデジタルカメラアップデート制御部７６によって判定される。該判定は、例えば、デジタルカメラアップデート制御部７６が受信した機種情報及び処理プログラム情報と、ホストコンピュータ８０からネットワークインタフェース７０を介して受信した機種情報に対応する処理プログラム情報とを比較することによって最新の処理プログラムか否かを判定することによってなされ、該判定が否定された場合には、後述するステップ２１４へ移行し、肯定された場合には、ステップ２１０へ移行する。
【００６５】
ステップ２１０では、ホストコンピュータ８０からネットワークインタフェース７０を介して更新処理プログラムがデジタルカメラアップデート制御部７６の制御によって取得され、ステップ２１２へ移行する。
【００６６】
ステップ２１２では、ホストコンピュータ８０から取得した更新処理プログラムがデジタルカメラ２０へ送信されて、ステップ２１４へ移行する。すなわち、デジタルカメラ２０側では、上述のステップ１０４〜１０６で、更新処理プログラムを受信してデジタルカメラ２０に組み込まれた処理プログラムの更新を自動的に行うことができる。
【００６７】
ステップ２１４では、プリントサービス処理が行われる。すなわち、店頭端末装置５０が供給する、デジタルカメラ２０で撮影することによって得られる画像データに基づく写真プリントを作成するための処理が実行される。なお、プリントサービス処理については、公知の技術の種々の技術を適用することが可能であるので詳細な説明を省略する。
【００６８】
このように、本実施の形態に係わるプリントサービスシステム１０では、デジタルカメラ２０を店頭端末装置５０に近づけるだけで、デジタルカメラ２０内に組み込まれた処理プログラムを自動的に更新することができるので、ネットワーク環境等が整っていないユーザでもデジタルカメラ２０内に組み込まれた処理プログラムの更新を容易に行うことができる。
【００６９】
続いて、上記の実施の形態に係わるプリントサービスシステム１０の変形例について説明する。なお、基本的な構成は、上記実施の形態と同一であるため、上記の実施の形態と同一符号を付して説明する。
【００７０】
上記の実施の形態では、店頭端末装置５０がデジタルカメラ２０に組み込まれている処理プログラムの更新が必要か否かを判定して、デジタルカメラ２０に更新処理プログラムを送信することデジタルカメラ２０の処理プログラムを更新するようにしたが、変形例では、デジタルカメラ２０に処理プログラムの更新を許可するか否かの設定を可能としたものである。
【００７１】
すなわち、変形例のデジタルカメラ２０は、デジタルカメラ２０に設けられた図しないスイッチ等を操作することによって、処理プログラムの更新を行うか否かの設定（以下、自動更新情報）が可能とされており、当該設定情報がデータ制御部３０に記憶されるようになっている。
【００７２】
また、ＩＣタグ４２が店頭端末装置５０に対して機種情報及び処理プログラム情報を送信する際に、上記自動更新設定情報が同時に店頭端末装置５０に送信される。
【００７３】
一方、店頭端末装置５０は、デジタルカメラ２０から送信される機種情報、処理プログラム情報、及び上記自動更新設定情報を受信して、受信した各情報に基づいて、更新処理プログラムの取得やデジタルカメラ２０への送信等を行う。
【００７４】
続いて、変形例のプリントサービスシステムの作用として、デジタルカメラ２０に組み込まれた処理プログラムの更新について説明する。
【００７５】
まず、デジタルカメラ２０側で行われる処理について説明する。図７は、変形例のデジタルカメラ２０で行われる処理の流れの一例を示すフローチャートである。なお、上記の実施の形態と同一処理については、同一符号を付して説明する。
【００７６】
まず、ステップ１００では、店頭端末にアクセスか否かＣＰＵ４０によって判定される。該判定は、ＩＣタグ４２を介して店頭端末装置５０の通信部６４と接続したか否かを判定することによってなされ、該判定が否定された場合には、肯定されるまで待機してステップ１０３へ移行する。
【００７７】
ステップ１０３では、データ制御部３０に記憶された自動更新設定情報と、ＩＣタグ４２に記憶された機種情報及び処理プログラム情報が店頭端末装置５０に送信されてステップ１０４へ移行する。
【００７８】
ステップ１０４では、更新処理プログラムが有るか否かＣＰＵ４０によって判定される。該判定は、店頭端末装置５０の通信部６４から処理プログラムが送信されてきたか否かを判定することによってなされ、該判定が否定された場合には、当該処理を終了して、その他の処理等を実行する。なお、自動更新設定情報に基づいて、ステップ１０４を判定するようにしてもよい。すなわち、自動更新設定情報が処理プログラムの更新を禁止する設定である場合には、そのままデジタルカメラ２０の処理を終了する。
【００７９】
また、ステップ１０４の判定が肯定された場合には、ステップ１０６へ移行して、店頭端末装置５０から送信されてくる更新処理プログラムがＩＣタグ４２を介してＣＰＵ４０に受信される。
【００８０】
そして、ステップ１０８では、受信した処理プログラムに基づいて、デジタルカメラ２０に組み込まれた処理プログラムが更新されて当該処理を終了して、その他の処理等を実行する。
【００８１】
次に、変形例の店頭端末装置５０側で行われる処理の流れについて説明する。図８は、変形例の店頭端末装置５０で行われる処理の流れの一例を示すフローチャートである。
【００８２】
店頭端末装置５０では、はじめにステップ２００で、人の接近を人検出部６６が検出したか否か制御部５２によって判定され、該判定が否定された場合には肯定されるまで待機してステップ２０２へ移行する。
【００８３】
ステップ２０２では、接近した人が所持しているデジタルカメラに対してＩＣタグ４２へのアクセスが行われて、ステップ２０４へ移行する。
【００８４】
ステップ２０４では、ＩＣタグ４２が検出されたか否か判定される。該判定は、デジタルカメラ２０のＩＣタグ４２と店頭端末装置５０との間で通信接続がなされたか否かを制御部５２が検出することによってなされ、該判定が否定された場合には、後述するステップ２１４へ移行し、肯定された場合には、ステップ２０６へ移行する。
【００８５】
ステップ２０６では、デジタルカメラ２０のＩＣタグ４２から送信されてくる機種情報及び処理プログラム情報が通信部６４を介してデジタルカメラアップデート制御部７６に取得され、ステップ２０７へ移行する。
【００８６】
ステップ２０７では、自動更新が可能か否か制御部５２によって判定される。該判定は、デジタルカメラ２０から送信される自動更新情報に基づいて行われ、自動更新情報が自動更新の禁止を表す場合に、当該判定が否定されて後述するステップ２１４へ移行し、自動更新情報が自動更新許可を表す場合に、当該判定が肯定されてステップ２０８へ移行する。
【００８７】
ステップ２０８では、受信した機種情報及び処理プログラム情報に基づいて処理プログラムの更新が必要か否かデジタルカメラアップデート制御部７６によって判定される。該判定は、例えば、デジタルカメラアップデート制御部７６が受信した機種情報及び処理プログラム情報と、ホストコンピュータ８０からネットワークインタフェース７０を介して受信した機種情報に対応する処理プログラム情報とを比較することによって最新の処理プログラムか否かを判定することによってなされ、該判定が否定された場合には、後述するステップ２１４へ移行し、肯定された場合には、ステップ２１０へ移行する。
【００８８】
ステップ２１０では、ホストコンピュータ８０からネットワークインタフェース７０を介して更新処理プログラムがデジタルカメラアップデート制御部７６の制御によって取得され、ステップ２１２へ移行する。
【００８９】
ステップ２１２では、ホストコンピュータ８０から取得した更新処理プログラムがデジタルカメラ２０へ送信されて、ステップ２１４へ移行する。すなわち、デジタルカメラ２０側では、上述のステップ１０４〜１０６で、更新処理プログラムを受信してデジタルカメラ２０に組み込まれた処理プログラムの更新を自動的に行うことができる。
【００９０】
ステップ２１４では、プリントサービス処理が行われる。すなわち、店頭端末装置５０が供給する、デジタルカメラ２０で撮影することによって得られる画像データに基づく写真プリントを作成するための処理が実行される。なお、プリントサービス処理については、公知の技術の種々の技術を適用することが可能であるので詳細な説明を省略する。
【００９１】
このように、本変形例に係わるプリントサービスシステムでも、上記の実施の形態と同様に、デジタルカメラ２０を店頭端末装置５０に近づけるだけで、デジタルカメラ２０内に組み込まれた処理プログラムを自動的に更新することができるので、ネットワーク環境等が整っていないユーザでもデジタルカメラ２０内に組み込まれた処理プログラムの更新を容易に行うことができる。
【００９２】
また、変形例のプリントサービスシステムでは、デジタルカメラ２０に処理プログラムの自動更新を行うか否かの設定が可能とされていることで、ユーザの意図しない処理プログラムの更新を避けることができる。
【００９３】
なお、上記の実施の形態では、本発明の撮影装置としてデジタルカメラを適用した例を説明したが、撮影装置はこれに限定されるものではなく、例えば、カメラ付き携帯電話等のカメラを備えた電子機器に適用するようにしてもよい。
【図面の簡単な説明】
【００９４】
【図１】本発明の実施の形態に係わるプリントサービスシステムの概略構成を示す図である。
【図２】本発明の実施の形態に係わるデジタルカメラの電気系の主要構成を示すブロック図である。
【図３】本発明の実施の形態に係わるデジタルカメラの通信装置としてＩＣタグを適用した場合の電気系の主要構成を示すブロック図である。
【図４】本発明の実施の形態に係わる店頭端末装置の電気系の主要構成を示すブロック図である。
【図５】本発明の実施の形態に係わるデジタルカメラで行われる処理の流れの一例を示すフローチャートである。
【図６】本発明の実施の形態に係わる店頭端末装置で行われる処理の流れの一例を示すフローチャートである。
【図７】変形例のデジタルカメラで行われる処理の流れの一例を示すフローチャートである。
【図８】変形例の店頭端末装置で行われる処理の流れの一例を示すフローチャートである。
【符号の説明】
【００９５】
１０    プリントサービスシステム
２０    デジタルカメラ
２８    通信装置
４０    ＣＰＵ
４２    ＩＣタグ
５０    店頭端末装置
５２    制御部
６４    通信部
７０    ネットワークインタフェース
７６    デジタルカメラアップデート制御部
８０    ホストコンピュータ
【図１】
2006135608.tif 000003
【図２】
2006135608.tif 000004
【図３】
2006135608.tif 000005
【図４】
2006135608.tif 000006
【図５】
2006135608.tif 000007
【図６】
2006135608.tif 000008
【図７】
2006135608.tif 000009
【図８】
2006135608.tif 000010